(57)【特許請求の範囲】
【請求項１】
前後方向から対向配置された一対の固定接点と、両固定接点の間に配置されて任意の一方の固定接点に接触動作する可動接点を備えた可動接触子とを内部に配置すると共に、前記可動接点の接触先を切り替える操作手段と、前記可動接点に接続された入力端子と、前記一対の固定接点のそれぞれに接続された２つの出力端子とを外部に配置したケース部材を、左右方向に少なくとも２個連結して成る切替開閉器において、
複数設けられた前記可動接触子の間には、前記固定接点に対して接触／解離動作を連動させるための連動部材が配置されて成ることを特徴とする切替開閉器。
【請求項２】
前記連動部材は、隣接する前記ケース部材の一方に配置される第１連動部材と、他方に配置される第２連動部材とを有し、
前記第１連動部材は、一端に前記ケース部材内に配置された前記可動接触子を前後方向から挟持する挟持部を有すると共に、他端に前記ケース部材の側壁に設けられた孔を介して前記第２連動部材に係合する係合部を有する一方、
前記第２連動部材は、一端に前記ケース部材内に配置された前記可動接触子を前後方向から挟持する挟持部を有すると共に、他端に前記孔に軸支し、更に前記第１連動部材の前記係合部と係合する軸部を有することを特徴とする請求項１記載の切替開閉器。
【発明の詳細な説明】
【技術分野】
【０００１】
本発明は、２系統ある接続先を切り替える切替開閉器に関する。
【背景技術】
【０００２】
２系統ある接続先を切り替える従来の切替開閉器の構造に、特許文献１に開示されているものがある。これは、１接点を切り替える切替機構を備えたケースを接点数に応じて連結し、１つの開閉器を構成している。このように分割形成することで、２接点を同時に切り替える開閉器と３接点或いは４接点を同時に切り替える開閉器との部材を共通化でき、少ない部品点数で他種類の切替開閉器を実現できた。
【先行技術文献】
【特許文献】
【０００３】
【特許文献１】特開２０１５−９０８３３号公報
【発明の概要】
【発明が解決しようとする課題】
【０００４】
上記従来の切替開閉器は、切り替える接点数に合わせてケースを連結して筐体を構成するため、接点を切替操作する切替機構部も連結数分存在することになるが、操作ハンドルをケースをまたいで一体化することで１つのハンドル操作で複数の接点の切り替えを実施できた。
しかしながら、切替機構は独立しているため、操作部材に発生する僅かな傾きの違いや、可動接触子等の僅かな形状の違いにより、切り替え動作に僅かなズレが発生し、厳密には同時に動作しない問題があった。
【０００５】
そこで、本発明はこのような問題点に鑑み、個々の接点の切替機構が独立していても、接点の切り替えが同時に実施される切替開閉器を提供することを目的としている。
【課題を解決するための手段】
【０００６】
上記課題を解決する為に、請求項１の発明は、前後方向から対向配置された一対の固定接点と、両固定接点の間に配置されて任意の一方の固定接点に接触動作する可動接点を備えた可動接触子とを内部に配置すると共に、可動接点の接触先を切り替える操作手段と、可動接点に接続された入力端子と、一対の固定接点のそれぞれに接続された２つの出力端子とを外部に配置したケース部材を、左右方向に少なくとも２個連結して成る切替開閉器において、複数設けられた可動接触子の間には、固定接点に対して接触／解離動作を連動させるための連動部材が配置されて成ることを特徴とする。
この構成によれば、個々の可動接点の切替機構が独立していても、連動部材により互いを連動させることができ、可動接点の切り替えを同時に行うことができる。
【０００７】
請求項２の発明は、請求項１に記載の構成において、連動部材は、隣接するケース部材の一方に配置される第１連動部材と、他方に配置される第２連動部材とを有し、第１連動部材は、一端にケース部材内に配置された可動接触子を前後方向から挟持する挟持部を有すると共に、他端にケース部材の側壁に設けられた孔を介して第２連動部材に係合する係合部を有する一方、第２連動部材は、一端にケース部材内に配置された可動接触子を前後方向から挟持する挟持部を有すると共に、他端に孔に軸支し、更に第１連動部材の係合部と係合する軸部を有することを特徴とする。
この構成によれば、ケース部材の側壁に連動部材を軸支する孔を設ければよく、可動接触子が回動するエリア全体に亘り側壁を開口する必要がなく、従来の筐体形状を大きく変更することなく、連動部材を配置できる。また、側壁に設けた孔が連動部材の回動中心となるため、軸支する部材を別途設ける必要がない。
【発明の効果】
【０００８】
本発明によれば、個々の接点の切替機構が独立していても、連動部材により互いを連動させることができ、接点の切り替えを同時に行うことができる。
【図面の簡単な説明】
【０００９】
【図１】本発明に係る切替開閉器の一例を示し、（ａ）は斜視図、（ｂ）は平面図である。
【図２】図１の切替開閉器の構造説明図であり、（ａ）は手前のケース部材を外して内部を露出させた斜視図、（ｂ）は更に手前の切替機構や端子部材を取り外して連動部材を露出させた斜視図である。
【図３】図１の切替開閉器の構造説明図であり、（ａ）は図２（ｂ）で露出した連動部材を取り除いた斜視図、（ｂ）は更に手前のケース部材を取り外した斜視図である。
【図４】連動部材の斜視説明図である。
【図５】連動部材を構成する第１連動部材の説明図で、（ａ）は正面図、（ｂ）は側面図、（ｃ）は背面図、（ｄ）は平面図である。
【図６】連動部材を構成する第２連動部材の説明図で、（ａ）は正面図、（ｂ）は側面図、（ｃ）は背面図、（ｄ）は平面図である。
【図７】連動部材と可動接触子の係合関係を示す説明図である。
【図８】入力端子を一方の出力端子に接続した状態の切替開閉器の説明図であり、（ａ）は手前のケース部材を外して内部を露出させた斜視図、（ｂ）は更にケース部材を外して中央の切替機構を露出させた斜視図である。
【発明を実施するための形態】
【００１０】
以下、本発明を具体化した実施の形態を、図面を参照して詳細に説明する。図１は本発明に係る切替開閉器の一例を示し、（ａ）は斜視図、（ｂ）は平面図であり、３線から成る２系統の回路を切り替える３極対応の切替開閉器を示している。
図１において、１〜３は電線を接続する接続端子であり、１（１ａ〜１ｃ）は内部の可動接点に接続されている入力端子、２（２ａ〜２ｃ）は切替先２系統のうちの一方が接続される第１出力端子、３（３ａ〜３ｃ）は２系統の他方が接続される第２出力端子である。また４は切替操作する操作ハンドルである。
入力端子１及び第１出力端子２は、切替開閉器のケース９の図示左側に配置され、第２出力端子３は図示右側に配置されている。以下、第１出力端子２側を前方、第２出力端子３側を後方として説明する。
【００１１】
図１は入力端子１を出力端子２，３に接続しないオフ状態を示し、操作ハンドル４は中間位置に起立した状態にある。そして、後述するように操作ハンドル４を前方へ傾倒すると入力端子１と第１出力端子２とが電気的に接続され、後方へ傾倒すると入力端子１と第２出力端子３とが接続される。
【００１２】
このように操作される切替開閉器のケース９は、ケース部材１０を連結して形成され、ここでは４つのケース部材１０ａ〜１０ｄを連結して構成されている。このうち左側３部材（第１ケース部材１０ａ、第２ケース部材１０ｂ、第３ケース部材１０ｃ）は、それぞれ１つの電路を切り替える切替機構が組み付けられており、３極が独立した筐体に組み付けられている。また、右端の第４ケース部材１０ｄはケース９の右側部となる第３ケース部材１０ｃの開放面を閉塞する閉塞板である。
尚、第１〜第３ケース部材１０ａ〜１０ｃは、側面を形成する側壁を左側の一方の面しか持たず、右側は開放されている。また、第２ケース部材１０ｂと第３ケース部材１０ｃとは同一形状のケース部材が使用される。
【００１３】
図２は切替開閉器の構造説明図であり、図２（ａ）は第４ケース部材１０ｄを外した斜視図、図２（ｂ）は更に第３ケース部材１０ｃ内に組み付けられた開閉機構や端子部材を取り除いた斜視図である。
図２において、６は固定接点、７は可動接点、８は可動接触子、１５は開閉機構を収容するフレームであり、固定接点６は前後から対向するように一対配置され、前側の固定接点６は第１出力端子２に接続され、後側の固定接点６は第２出力端子３に接続されている。そして、可動接点７は一対の固定接点６の間の中間位置に垂下するように配置された可動接触子８の下端両側に形成されている。
【００１４】
そして、１１ｂは複数収容されている可動接触子８を連動される連動部材１１の一部を成す第２連動部材であり、複数（ここでは３つ）設けられている可動接触子８が同時に切替動作するよう設置されている。連動部材１１は後述する第１連動部材１１ａとこの第２連動部材１１ｂの２種類からなり、この２種類が組み合わせられてケース９内に収納されている。
【００１５】
図３は同様に切替開閉器の構造説明図であり、図３（ａ）は図２（ｂ）に示す第２連動部材１１ｂを取り除いた斜視図、図３（ｂ）は更に第３ケース部材１０ｃを取り除いた斜視図を示している。この図３に示すように、第３ケース部材１０ｃ内に配置された第２連動部材１１ｂ（図２に示す）は、第２ケース部材１０ｂ内に配置された第１連動部材１１ａに連結されており、互いに連動するよう配置されている。図４はこの第１連動部材１１ａと第２連動部材１１ｂの関係を示す斜視図であり、矢印Ｐで示す上部が一体化され連結される。
【００１６】
図５は第１連動部材１１ａ、図６は第２連動部材１１ｂの具体的形状を示し、（ａ）は正面図、（ｂ）は側面図、（ｃ）は背面図、（ｄ）は平面図である。
第１連動部材１１ａ、及び第２連動部材１１ｂは、下部に可動接触子８を挟持する挟持溝１１１が形成された挟持部１１２を有している。そして、第１連動部材１１ａは、上部に第２連動部材１１ｂに係合する係合凸部１１３が形成され、第２連動部材１１ｂの上部には、第１連動部材１１ａの係合凸部１１３を収容して係合する係合凹部１１４が形成されている。
尚、この係合凹部１１４は円盤状突起１１５の内部に形成され、円盤状突起１１５はケース９の内部に配置されるケース部材１０の側壁に形成された後述する透孔１２に回動可能に嵌合し、回動軸を構成している。
【００１７】
そして、ケース部材１０ａ〜１０ｄのうち、中間に配置されるケース部材１０ｂ，１０ｃの側壁には、第１連動部材１１ａと第２連動部材１１ｂとを連結させる透孔１２が図３（ａ）に示すように形成されている。この透孔１２は、第２連動部材１１ｂの円盤状突起１１５を収容する円形を成して、連動部材１１の回動中心となる支持孔となっている。
【００１８】
図７は、可動接触子８と連動部材１１の係合関係を示す図であり、第２出力端子３側から見た説明図である。図７において、１７ｂは第２ケース部材１０ｂの側壁、１７ｃは第３ケース部材１０ｃの側壁を示し、この側壁１７ｂ，１７ｃに形成された透孔１２に第２連動部材１１ｂの円盤状突起１１５が嵌合し、透孔１２を介して第１連動部材１１ａと第２連動部材１１ｂとが連結されている。
【００１９】
そして、図示右側の第１ケース部材１０ａに収容されている可動接触子８は、第１連動部材１１ａに挟持され、第２ケース部材１０ｂに収容されている中央の可動接触子８は第１連動部材１１ａと第２連動部材１１ｂとで左右から挟持され、第３ケース部材１０ｃに収容されている図示左側の可動接触子８は第２連動部材１１ｂに挟持されている。
このように各可動接触子８が連動部材１１により挟持されることで、何れかの可動接触子８が回動を開始したら、他の可動接触子８も回動を開始する。
【００２０】
図８は、可動接触子８を前方に回動して第１出力端子２の固定接点６に可動接点７を接触させた状態、即ち入力端子１と第１出力端子２とを電気的に接続した状態を示し、（ａ）は第４ケース部材１０ｄを外して内部を露出させた状態、（ｂ）は第３ケース部材１０ｃを外して中央の可動接触子８を露出させた状態を示している。
この図８に示すように、操作ハンドル４の操作を受けて可動接触子８が回動して傾倒すると、連動部材１１も回動軸（円盤状突起１１５）を中心に回動する。尚、連動部材１１の回動軸は、可動接触子８の回動中心に一致するよう設けられている。
【００２１】
このように、個々の可動接点８の切替機構が独立していても、連動部材１１により互いを連動させることができ、可動接点８の切り替えを同時に行うことができる。
そして、ケース９の一部を構成するケース部材１０の側壁１７に連動部材１１を軸支する透孔１２を設ければよく、可動接触子８が回動するエリア全体に亘り側壁１７を開口する必要がなく、従来の筐体形状を大きく変更することなく、連動部材１１を配置できる。また、側壁１７に設けた透孔１２が連動部材１１の回動中心となるため、軸支部材を別途設ける必要がない。
【００２２】
尚、上記実施形態は、３極を切り替える切替開閉器について説明したが、２極を切り替える構成の場合は、可動接触子８は２つとなるため、連動部材１１は１組で良い。一方、４極を切り替える構成の場合は、可動接触子８は４つとなるため、３組の連動部材１１が組み込まれる。
【符号の説明】
【００２３】
１・・入力端子、２・・第１出力端子（出力端子）、３・・第２出力端子（出力端子）、４・・操作ハンドル（操作手段）、６・・固定接点、７・・可動接点、８・・可動接触子、９・・ケース、１０（１０ａ，１０ｂ，１０ｃ，１０ｄ）・・ケース部材、１１・・連動部材、１１ａ・・第１連動部材、１１ｂ・・第２連動部材、１２・・透孔（孔）、１７・・側壁、１１２・・挟持部、１１３・・係合凸部（係合部）、１１４・・係合凹部、１１５・・円盤状突起（軸部）。
【図１】
0006503243.tif 000002
【図２】
0006503243.tif 000003
【図３】
0006503243.tif 000004
【図４】
0006503243.tif 000005
【図５】
0006503243.tif 000006
【図６】
0006503243.tif 000007
【図７】
0006503243.tif 000008
【図８】
0006503243.tif 000009